(57)【要約】テレビ信号受信機のような装置（１００）がパイロット信号を処理して、とりわけＬ−Ｒステレオ差信号の適正な生成を可能にする。例示的な実施形態によれば、当該装置（１００）は、パイロット信号を提供するよう動作する信号源（７０２）と、該パイロット信号を処理してＡＣ成分およびＤＣ成分をもつ第一の処理されたパイロット信号を生成するよう動作する処理回路（７０４〜７２４）とを有する。前記処理回路（７０４〜７２４）は前記ＤＣ成分を使って、前記ＡＣ成分の信号パラメータを制御し、第二の処理されたパイロット信号を生成する。この第二の処理されたパイロット信号が前記Ｌ−Ｒステレオ差信号を生成するために使用されうる。
2007538472.tif 000002
【特許請求の範囲】
【請求項１】
パイロット信号を提供する手段と、
該パイロット信号を処理してＡＣ成分およびＤＣ成分をもつ第一の処理されたパイロット信号を生成する処理手段とを有する装置であって、
前記処理手段が前記ＤＣ成分を、前記ＡＣ成分の信号パラメータを制御し、第二の処理されたパイロット信号を生成するために使うことを特徴とする装置。
【請求項２】
前記ＤＣ成分をステレオが存在するかどうかを検出するために使う検出手段をさらに有することを特徴とする、請求項１記載の装置。
【請求項３】
前記第二の処理されたパイロット信号を使って復調機能を実行してＬ−Ｒステレオ差信号を生成する復調手段をさらに有することを特徴とする、請求項１記載の装置。
【請求項４】
前記復調手段が単純な積復調を使用することを特徴とする、請求項３記載の装置。
【請求項５】
前記パイロット信号がオーディオパイロット信号であることを特徴とする、請求項１記載の装置。
【請求項６】
前記信号パラメータが振幅であることを特徴とする、請求項１記載の装置。
【請求項７】
パイロット信号を処理する方法であって：
パイロット信号を受け取り、
該パイロット信号を処理してＡＣ成分およびＤＣ成分をもつ第一の処理されたパイロット信号を生成し、
前記ＤＣ成分を前記ＡＣ成分の信号パラメータを制御し、第二の処理されたパイロット信号を生成するために使う、
ことを含むことを特徴とする方法。
【請求項８】
前記ＤＣ成分をステレオが存在するかどうかを検出するために使うことをさらに含むことを特徴とする、請求項７記載の方法。
【請求項９】
前記第二の処理されたパイロット信号を使って復調機能を実行してＬ−Ｒステレオ差信号を生成することをさらに含むことを特徴とする、請求項７記載の方法。
【請求項１０】
前記復調機能が単純な積復調を使用することを特徴とする、請求項９記載の方法。
【請求項１１】
前記パイロット信号がオーディオパイロット信号であることを特徴とする、請求項７記載の方法。
【請求項１２】
前記信号パラメータが振幅であることを特徴とする、請求項７記載の方法。
【請求項１３】
パイロット信号を提供するよう動作する信号源と、
該パイロット信号を処理してＡＣ成分およびＤＣ成分をもつ第一の処理されたパイロット信号を生成するよう動作する処理回路とを有するテレビ信号受信機であって、
前記処理回路が前記ＤＣ成分を使って、前記ＡＣ成分の信号パラメータを制御し、第二の処理されたパイロット信号を生成することを特徴とするテレビ信号受信機。
【請求項１４】
前記ＤＣ成分を使ってステレオが存在するかどうかを検出するよう動作する検出回路をさらに有することを特徴とする、請求項１３記載のテレビ信号受信機。
【請求項１５】
前記第二の処理されたパイロット信号を使って復調機能を実行してＬ−Ｒステレオ差信号を生成するよう動作するステレオ処理器をさらに有することを特徴とする、請求項１３記載のテレビ信号受信機。
【請求項１６】
前記復調機能が単純な積復調を使用することを特徴とする、請求項１５記載のテレビ信号受信機。
【請求項１７】
前記パイロット信号がオーディオパイロット信号であることを特徴とする、請求項１３記載のテレビ信号受信機。
【請求項１８】
前記信号パラメータが振幅であることを特徴とする、請求項１３記載のテレビ信号受信機。
【発明の詳細な説明】
【技術分野】
【０００１】
〈関連出願への相互参照〉
本願は2004年5月20日に米国特許商標庁に提出され、通し番号60/572,929を付与された仮出願の優先権およびそれから生じるあらゆる恩恵を主張するものである。
〈本発明の分野〉
本発明は概略的にはテレビ信号受信機のような装置のための信号処理に、より詳細にはとりわけＬ−Ｒステレオ差信号の適正な生成を可能にするパイロット信号を処理する装置および方法に関する。
【背景技術】
【０００２】
テレビ信号受信機およびラジオのような装置は、デジタル信号処理を使ってオーディオ信号を含むある種の信号を生成しうる。たとえば、そのような装置は単純な積復調（simple  product  demodulation）として知られるデジタル復調技術を使ってＬ−Ｒステレオ差信号を生成しうる。単純な積復調を使ってＬ−Ｒステレオ差信号を適正に生成するためには、単純な積復調プロセスで使用するためのオーディオパイロット信号を再構築することが必要となりうる。さらに、この再構築されたパイロット信号が振幅においてほとんど変動を示さず、対称的である（すなわちＤＣ成分を含まない）ことが好ましい。再構築されたパイロット信号の振幅があまりに変動すると、Ｌ−Ｒステレオ差が単純な積復調を使って適正に生成されないことがありうるのである。
【発明の開示】
【発明が解決しようとする課題】
【０００３】
これまで、単純な積復調を使ってのＬ−Ｒステレオ差信号の適正な生成を可能にするためにパイロット信号を再構築する問題は、十分に取り組まれてこなかった。したがって、前述の問題を回避し、それにより、とりわけＬ−Ｒステレオ差信号の適正な生成を可能にするパイロット信号処理の装置および方法が必要とされている。本発明はこれらのことおよび／またはその他のことに取り組む。
【課題を解決するための手段】
【０００４】
本発明のある側面によれば、パイロット信号を処理する装置が開示される。例示的な実施形態によれば、当該装置は、パイロット信号を提供する手段と、該パイロット信号を処理してＡＣ成分およびＤＣ成分をもつ第一の処理されたパイロット信号を生成する処理手段とを有する。前記処理手段は前記ＤＣ成分を、前記ＡＣ成分の信号パラメータを制御し、第二の処理されたパイロット信号を生成するために使う。
【０００５】
本発明のある別の側面によれば、パイロット信号を処理する方法が開示される。例示的な実施形態によれば、当該方法は、パイロット信号を受け取り、該パイロット信号を処理してＡＣ成分およびＤＣ成分をもつ第一の処理されたパイロット信号を生成し、前記ＤＣ成分を前記ＡＣ成分の信号パラメータを制御し、第二の処理されたパイロット信号を生成するために使うステップを有する。
【０００６】
本発明のさらにもう一つの側面によれば、テレビ信号受信機が開示される。例示的な実施形態によれば、当該テレビ信号受信機は、パイロット信号を提供するよう動作する信号源と、該パイロット信号を処理してＡＣ成分およびＤＣ成分をもつ第一の処理されたパイロット信号を生成するよう動作するパイロット信号処理回路とを有する。前記処理回路は前記ＤＣ成分を使って、前記ＡＣ成分の信号パラメータを制御し、第二の処理されたパイロット信号を生成する。
【０００７】
上述したことを含む本発明のさまざまな特徴および利点ならびにそれが達成される仕方は、付属の図面とともに参照される本発明の実施形態の以下の記述を参照することによってよりよく理解されるであろう。
【０００８】
ここに記載される例示は本発明の好ましい実施形態を示すものであり、そのような例示はいかなる仕方であれ本発明の範囲を限定するものと解釈してはならない。
【発明を実施するための最良の形態】
【０００９】
ここで図面、特に図１を参照すると、本発明の例示的な実施形態に基づく装置１００のブロック図が示されている。図１に示されるように、装置１００は信号受信要素１０のような信号受信手段と、チューナー２０のような同調手段と、ＩＦ処理ブロック３０のような中間周波（ＩＦ）処理手段と、アナログ‐デジタルコンバーター（ＡＤＣ）４０のようなアナログ‐デジタル変換手段と、ビデオ処理ブロック５０のようなビデオ処理手段と、オーディオ処理ブロック６０のようなオーディオ処理手段とを有している。図１の以上の要素のうちいくつかは集積回路（ＩＣ）を使って具現されてもよく、いくつかの要素はたとえば一つまたは複数のＩＣ上に含められてもよい。記述の明確のため、ある種の制御信号、電力信号、クロック信号および／またはその他の要素といった装置１００に付随するある種の従来の要素は図１には示されていないことがある。例示的な実施形態によれば、装置１００はテレビ信号受信機として具現されるが、ラジオのような別の種類の装置またはデバイスとして具現されてもよい。
【００１０】
信号受信要素１０は、地上波、ケーブル、衛星、インターネットおよび／またはその他の信号源のような一つまたは複数の信号源から無線周波（ＲＦ）信号を受信するよう動作する。例示的な実施形態によれば、信号受信要素１０はアンテナとして具現されるが、入力端子および／またはその他の要素といったいかなる種類の信号受信要素として具現されてもよい。
【００１１】
チューナー２０は信号同調機能を実行するよう動作する。例示的な実施形態によれば、チューナー２０は信号受信要素１０からＲＦ入力信号を受け取り、ＲＦ入力信号をフィルタ処理および周波数下方変換（すなわち単一または多重段の下方変換）してそれによりＩＦ信号を生成することによって信号同調機能を実行する。ＲＦ入力信号とＩＦ信号はオーディオ、ビデオおよび／またはデータコンテンツを含むことができ、アナログ変調方式（たとえばＮＴＳＣ、ＰＡＬ、ＳＥＣＡＭなど）および／またはデジタル変調方式（たとえばＡＴＳＣ、ＱＡＭなど）のものでありうる。
【００１２】
処理ブロック３０はチューナー２０から提供されるＩＦ信号を処理してそれにより処理されたＩＦ信号を生成するよう動作する。例示的な実施形態によれば、ＩＦ処理ブロック３０は、前記処理されたＩＦ信号を生成するためにフィルタ処理および増幅機能を含むＩＦ処理機能を実行する。ＩＦ処理ブロック３０はたとえば一つまたは複数の個別の表面弾性波（SAW:  surface  acoustical  wave）フィルタおよび増幅器を含んでいることができ、それらはそれぞれチューナー２０から提供されるＩＦ信号をフィルタ処理（望まれない隣接チャネルエネルギーを除去するなど）および増幅してそれにより前記処理されたＩＦ信号を生成する。
【００１３】
ＡＤＣ４０はアナログ‐デジタル変換機能を実行するよう動作する。例示的な実施形態によれば、ＡＤＣ４０はＩＦ処理ブロック３０から提供される処理されたＩＦ信号をアナログ形式からデジタル形式に変換し、それによりデジタルＩＦ信号を生成する。
【００１４】
ビデオ処理ブロック５０はさまざまなビデオ処理機能を実行するよう動作しうる。例示的な実施形態によれば、ビデオ処理ブロック５０は復調、復号および／またはその他のビデオ処理機能を含むビデオ処理機能を実行し、それにより処理されたビデオ信号を生成する。図１に示されるように、ビデオ処理ブロック５０からの処理されたビデオ信号出力はさらなるビデオ処理および出力のために提供される。
【００１５】
オーディオ処理ブロック６０はさまざまなオーディオ処理機能を実行するよう動作する。例示的な実施形態によれば、オーディオ処理ブロック６０はステレオ和処理、パイロット処理、ステレオ差処理および二次オーディオ処理機能を含むオーディオ処理機能を実行する。オーディオ処理ブロック６０についてのさらなる詳細は後述する。
【００１６】
図２を参照すると、図１のオーディオ処理ブロック６０のさらなる詳細を与えるブロック図が示されている。図２に示されているように、オーディオ処理ブロック６０はフィルタ処理および下方変換ブロック６２のようなフィルタ処理および下方変換手段と、デジタルＦＭ復調器６４のようなデジタル復調手段と、サンプルレート変換器（SRC:  sample  rate  converter）６６のようなサンプルレート変換手段と、ステレオ和処理ブロック６８のようなステレオ和処理手段と、パイロット処理ブロック７０のようなパイロット処理手段と、ステレオ差処理ブロック７２のようなステレオ差処理手段と、二次オーディオ処理ブロック７４のような二次オーディオ処理手段とを有する。図２の以上の要素はＩＣを使って具現されてもよく、いくつかの要素はたとえば一つまたは複数のＩＣ上に含められていてもよい。記述の明確のため、ある種の制御信号、電力信号、クロック信号および／またはその他の要素といったオーディオ処理ブロック６０に付随するある種の従来の要素は図２には示されていないことがある。
【００１７】
フィルタ処理および下方変換ブロック６２はフィルタ処理および周波数下方変換機能を実行するよう動作する。例示的な実施形態によれば、フィルタ処理および下方変換ブロック６２はＡＤＣ４０から提供されるデジタルＩＦ信号をフィルタ処理および周波数下方変換してそれにより約4.5MHzの中心周波数をもつデジタルオーディオ信号を生成する。
【００１８】
デジタルＦＭ復調器６４はデジタルＦＭ復調機能を実行するよう動作する。例示的な実施形態によれば、デジタルＦＭ復調器６４はフィルタ処理および下方変換ブロック６２から提供されるデジタルオーディオ信号を復調してそれによりさまざまなオーディオ成分信号（たとえばステレオ和／差信号、パイロット信号、二次オーディオ信号）を含む復調されたデジタルオーディオ信号を生成する。
【００１９】
ＳＲＣ６６はサンプルレート変換機能を実行するよう動作する。例示的な実施形態によれば、ＳＲＣ６６はデジタルＦＭ復調器６４から提供される復調されたデジタルオーディオ信号を第一のサンプルレートから第二のサンプルレートに変換し、それによりサンプルレート変換されたデジタルオーディオ信号を生成する。
【００２０】
ステレオ和処理ブロック６８はステレオ和処理機能を実行するよう動作する。例示的な実施形態によれば、ステレオ和処理ブロック６８は、ＳＲＣ６６から提供されるサンプルレート変換されたデジタルオーディオ信号をフィルタ処理してそれにより約14kHzの中心周波数をもつＬ＋Ｒステレオ和信号を提供する。
【００２１】
パイロット処理ブロック７０はパイロット処理機能を実行するよう動作する。例示的な実施形態によれば、パイロット処理ブロック７０は図３に示されるパイロット処理回路７０Ａおよび図４に示されるステレオ検出回路７０Ｂを含む。これらの部分はそれぞれパイロット処理およびステレオ検出機能を実行するものである。パイロット処理回路７０Ａおよびステレオ検出回路７０Ｂに関するさらなる詳細はそれぞれ図３および図４を参照しつつ後述する。
【００２２】
ステレオ差処理ブロック７２はステレオ差処理機能を実行するよう動作する。例示的な実施形態によれば、ステレオ差処理ブロック７２は、ＳＲＣ６６から提供されるサンプルレート変換されたデジタルオーディオ信号をフィルタ処理してそれにより約31.5kHzの中心周波数をもつフィルタ処理された信号を提供する。やはり例示的な実施形態によれば、ステレオ差処理ブロック７２は、31.5kHzのフィルタ処理された信号にパイロット処理ブロック７０から提供される処理されたパイロット信号を乗算することにより単純な積復調を実行してそれによりＬ−Ｒステレオ差信号を生成する、デジタル復調器のような復調手段を含む。
【００２３】
二次オーディオ処理ブロック７４は二次オーディオ処理機能を実行するよう動作する。例示的な実施形態によれば、二次オーディオ処理ブロック７４はＳＲＣ６６から提供されるサンプルレート変換されたデジタルオーディオ信号を処理してそれにより二次オーディオ信号を生成する。図２に示されるように、上述した、ステレオ和処理ブロック６８、パイロット処理ブロック７０、ステレオ差処理ブロック７２および二次オーディオ処理ブロック７４によって生成される信号は、さらなるオーディオ処理および出力のために提供される。
【００２４】
図３を参照すると、本発明の例示的な実施形態に基づくパイロット処理回路７０Ａが示されている。本稿で先に示したように、図３のパイロット処理回路７０Ａは図２のパイロット処理ブロック７０に含まれている。図３に示されるように、パイロット処理回路７０Ａは、帯域通過フィルタ（BPF:  band  pass  filter）７０２のようなフィルタ処理手段と、乗算器７０４のような第一の乗算手段と、遅延ユニット７０６のような第一の遅延手段と、加算器７０８のような第一の加算手段と、除算器７１０のような第一の除算手段と、減算器７１２のような減算手段と、加算器７１４のような第二の加算手段と、除算器７１６のような第二の除算手段と、遅延ユニット７１８のような第二の遅延手段と、乗算器７２０のような第二の乗算手段と、探索表（LUT:  look-up  table）７２２のような探索表手段と、乗算器７２４のような第三の乗算手段とを有している。例示的な実施形態によれば、図３の以上の要素はＩＣを使って具現されてもよく、いくつかの要素はたとえば一つまたは複数のＩＣ上に含められていてもよい。記述の明確のため、ある種の制御信号、電力信号、クロック信号および／またはその他の要素といったパイロット処理回路７０Ａに付随するある種の従来の要素は図３には示されていないことがある。
【００２５】
ＢＰＦ７０２はＳＲＣ６６から提供されるサンプルレート変換されたデジタルオーディオ信号をフィルタ処理してそれにより約15.734kHzの中心周波数をもつパイロット信号を提供するよう動作する。ＢＰＦ７０２はたとえば少なくとも二つの極をもつ高Ｑフィルタとして具現されうる。ここで言うところの「パイロット信号」とは、任意の種類のパイロット信号、搬送波信号および／または何らかの信号処理用途で使用されるその他の参照信号を指す。しかし、ここに記載された例示的な実施形態によれば、パイロット信号はデジタルオーディオ処理用途に関して述べられる。
【００２６】
乗算器７０４はＢＰＦ７０２から提供されるパイロット信号にそれ自身を乗算（すなわちパイロット信号を二乗）してそれにより第一の処理されたパイロット信号を生成するよう動作する。例示的な実施形態によれば、前記第一の処理されたパイロット信号は交流（ＡＣ）成分および直流（ＤＣ）成分を含む。前記第一の処理されたパイロット信号はAcos2wt＝A/2(1＋cos2wt)として表現されることができ、ここでA/2はＤＣ成分を表し、cos2wtはＡＣ成分を表している。後述するように、パイロット処理回路７０ＡはこのＤＣ成分を使ってＡＣ成分の信号パラメータ（たとえば利得／振幅）を制御し、それにより最小の振幅変動をもつ第二の処理されたパイロット信号を生成する。さらに、ＤＣ成分はステレオがあるかどうかを検出するために使用されうる。
【００２７】
遅延ユニット７０６は乗算器７０４から提供される第一の処理されたパイロット信号を遅延させてそれにより第一の処理されたパイロット信号の遅延バージョンを生成するよう動作する。例示的な実施形態によれば、遅延ユニット７０６は第一の処理されたパイロット信号を５クロックサイクルに等しい期間だけ遅延させる。クロックサイクル周波数は設計上の選択の問題として選択されうる。加算器７０８は乗算器７０４から提供される第一の処理されたパイロット信号を、遅延ユニット７０６から提供される第一の処理されたパイロット信号の遅延バージョンに加算してそれにより和信号を生成するよう動作する。除算器７１０は加算器７０８から提供される和信号を値２で割ってそれにより対応する出力信号を生成するよう動作する。例示的な実施形態によれば、除算器７１０から提供される出力信号は乗算器７０４によって生成された第一の処理されたパイロット信号のＤＣ成分を表す。図３では、遅延ユニット７０６、加算器７０８および除算器７１０は乗算器７０４によって生成された第一の処理されたパイロット信号のＤＣ成分を単離する櫛形フィルタとして動作している。
【００２８】
減算器７１２は、除算器７１０から提供される出力信号（すなわち第一の処理されたパイロット信号のＤＣ成分）を乗算器７０４から提供される第一の処理されたパイロット信号から減算してそれにより対応する出力信号を生成する。例示的な実施形態によれば、減算器７１２の出力信号は乗算器７０４によって生成される第一の処理されたパイロット信号のＤＣ成分が除去されたＡＣ成分を表す。
【００２９】
加算器７１４は、除算器７１０から提供される出力信号（すなわち第一の処理されたパイロット信号のＤＣ成分）を遅延ユニット７１８から提供される遅延された信号に加算し、それにより和信号を生成する。除算器７１６は加算器７１４から提供される和信号を値２で除算してそれにより対応する出力信号を生成するよう動作する。遅延ユニット７１８は除算器７１６から提供される出力信号を遅延させてそれにより加算器７１４に戻し提供される遅延された信号を生成する。図３では、加算器７１４、除算器７１６および遅延ユニット７１８は、第一の処理されたパイロット信号のＤＣ成分から残留ＡＣ成分を除去する平均化フィルタとして動作している。
【００３０】
乗算器７２０は、遅延ユニット７１８から提供される遅延信号に3/16という分数値を乗算し、それにより乗算された信号を生成するよう動作する。ＬＵＴ７２２は乗算器７２０から提供される乗算された信号の入力ＤＣ値に基づく値をもつ出力信号を提供するよう動作する。下記の表１は、本発明の例示的な実施形態に基づく、乗算器７２０から提供される乗算された信号の入力ＤＣ値（表１の第１列および第３列参照）とＬＵＴ７２２から提供される出力信号の値（表１の第２列および第４列参照）との間の関係をまとめたものである。
【００３１】
【表１】
2007538472.tif 000003
表１
上の表１で示されるように、ＬＵＴ７２２から提供される出力信号の値は乗算器７２０から提供される乗算された信号の入力ＤＣ値に対して逆に変動する。このようにして、ＬＵＴ７２２の出力信号の値は、乗算器７２０から提供される乗算された信号の入力ＤＣ値が減少するときに増加し、該入力ＤＣ値が増加するときには減少する。
【００３２】
乗算器７２４は減算器７１２から提供される出力信号にＬＵＴ７２２から提供される出力信号を乗算してそれにより第二の処理されたパイロット信号を生成するよう動作する。本稿で先に示したように、減算器７１２の出力信号は乗算器７０４によって生成された第一の処理されたパイロット信号のＡＣ成分を表している。さらに、ＬＵＴ７２２から提供される出力信号は乗算器７０４によって生成された第一の処理されたパイロット信号のＤＣ成分から導出される。したがって、本発明は第一の処理されたパイロット信号のＤＣ成分を使って、第一の処理されたパイロット信号のＡＣ成分の振幅／利得を制御し、それにより、最小の振幅変動をもつ第二の処理されたパイロット信号を生成する。図３に示されているように、乗算器７２４によって生成される第二の処理されたパイロット信号はステレオ差処理ブロック７２（図２参照）に提供され、そこでＬ−Ｒステレオ差信号を生成するために使われる。本稿で先に示したように、図２のステレオ差処理ブロック７２は、31.5kHz信号に乗算器７２４から提供される第二の処理されたパイロット信号を乗算することによって単純な積復調を実行してそれによりＬ−Ｒステレオ差信号を生成する、デジタル復調器のような復調手段を含んでいる。第二の処理されたパイロット信号の利得／振幅は第一の処理されたパイロット信号のＤＣ成分を使って制御されるので、本発明は、Ｌ−Ｒステレオ差信号が単純な積復調を使って適正に生成されることを有利に可能にする。
【００３３】
図４を参照すると、本発明の例示的な実施形態に基づくステレオ検出回路７０Ｂが示されている。本稿で先に示したように、図４のステレオ検出回路７０Ｂは図２のパイロット処理ブロック７０に含まれる。図４に示されるように、ステレオ検出回路７０Ｂは、比較器７２６のような比較手段と、マルチプレクサ７２８のような多重化手段と、Ｄ型フリップフロップ７３０のようなゲート手段とを有している。例示的な実施形態によれば、図４の以上の要素はＩＣを使って具現されてもよく、いくつかの要素はたとえば一つまたは複数のＩＣ上に含められていてもよい。記述の明確のため、ある種の制御信号、電力信号、クロック信号および／またはその他の要素といったステレオ検出回路７０Ｂに付随するある種の従来の要素は図４には示されていないことがある。
【００３４】
比較器７２６はパイロット処理回路７０Ａから提供される第一の処理されたパイロット信号のＤＣ成分を、マルチプレクサ７２８から提供される出力信号と比較し、該比較に基づいて出力信号を生成する。例示的な実施形態によれば、比較器７２６はパイロット処理回路７０Ａから提供される第一の処理されたパイロット信号のＤＣ成分を受け取る「Ａ」端子と、マルチプレクサ７２８から提供される出力信号を受け取る「Ｂ」端子とを含む。この例示的な実施形態によれば、比較器７２６はその出力信号を、端子「Ａ」への入力が端子「Ｂ」への入力よりも大きければ論理的な「１」の値として、端子「Ａ」への入力が端子「Ｂ」への入力よりも大きくなければ論理的な「０」の値として提供する。
【００３５】
マルチプレクサ７２８は、Ｄ型フリップフロップ７３０から提供される（すなわちフィードバックされる）制御信号の論理状態に基づいて、ステレオ取得（STEREO_ACQUIRE）信号またはステレオ解放（STEREO_RELEASE）信号のいずれかを選択的に出力するよう動作する。例示的な実施形態によれば、ステレオ取得信号はアプリケーション回路設計者（またはユーザー）によって設定された、ステレオが存在することを示す閾値を表す。逆に、ステレオ解放信号は、アプリケーション回路設計者（またはユーザー）によって設定された、ステレオが存在しないことを示す閾値を表す。ステレオ獲得信号およびステレオ解放信号のために使用される実際の値は設計上の選択の問題でありうる。この例示的な実施形態によれば、マルチプレクサ７２８は、Ｄ型フリップフロップ７３０から提供される制御信号が論理的な「０」の値を示す場合にステレオ取得信号を出力し、Ｄ型フリップフロップ７３０から提供される制御信号が論理的な「１」の値を示す場合にステレオ解放信号を示す。
【００３６】
Ｄ型フリップフロップ７３０は、適用されるクロック信号に従って、比較器７２６から提供される出力信号を受け取り、出力するよう動作する。本稿で先に示したように、Ｄ型フリップフロップ７３０の出力信号はマルチプレクサ７２８に制御信号としてフィードバックされ、それがマルチプレクサ７２８がステレオ取得信号を出力するかステレオ解放信号を出力するかを制御する。図４に示したように、Ｄ型フリップフロップ７３０の出力信号はさらなるオーディオ処理および出力のためにも提供される。
【００３７】
本発明のよりよい理解を容易にするため、ここで例を示すことにする。図５を参照すると、本発明の例示的な実施形態に基づく諸ステップを示すフローチャート５００が示されている。例および説明の目的のため、図５の諸ステップは本稿で先に記述したような装置１００のさまざまな要素を参照しつつ記述される。図５の諸ステップは単に例示的なものであり、いかなる仕方であれ本発明を限定することは意図されていない。
【００３８】
ステップ５１０において、パイロット信号が受け取られる。例示的な実施形態によれば、パイロット信号は本稿で先に記述したように、図３の出力信号ＰＢＦ７０２として受け取られる。
【００３９】
ステップ５２０では、受け取られたパイロット信号が処理されて、ＡＣ成分およびＤＣ成分を有する第一の処理されたパイロット信号が生成される。例示的な実施形態によれば、ステップ５２０において、乗算器７０４がステップ５１０で受け取られたパイロット信号にそれ自身を乗じる（すなわちパイロット信号を二乗する）ことによって第一の処理されたパイロット信号を生成する。ステップ５２０で生成された第一の処理されたパイロット信号はAcos2wt＝A/2(1＋cos2wt)として表現されることができ、ここでA/2はＤＣ成分を表し、cos2wtはＡＣ成分を表している。
【００４０】
ステップ５３０において、このＤＣ成分が、ＡＣ成分の信号パラメータを制御し、それにより第二の処理されたパイロット信号を生成するために使用される。例示的な実施形態によれば、図３のパイロット処理回路７０Ａの遅延ユニット７０６、加算器７０８および除算器７１０は第一の処理されたパイロット信号のＤＣ成分を生成する櫛形フィルタとして動作する。さらに、パイロット処理回路７０Ａの減算器７１２は、第一の処理されたパイロット信号のＤＣ成分を減算することによって第一の処理されたパイロット信号のＡＣ成分を生成する。パイロット処理回路７０Ａの加算器７１４、除算器７１６、遅延ユニット７１８、乗算器７２０およびＬＵＴ７２２は第一の処理されたパイロット信号のＤＣ成分をさらに処理する。乗算器７２４は前記ＤＣ成分のこの処理されたバージョンに前記ＡＣ成分を乗算し、それによりステップ５３０で第二の処理されたパイロット信号を生成する。
【００４１】
ステップ５４０では、前記ＤＣ成分が、ステレオが存在するかどうかを検出するために使われる。例示的な実施形態によれば、ステップ５４０では、第一の処理されたパイロット信号の前記ＤＣ成分が、前記検出を可能にするために図４のステレオ検出回路７０Ｂに提供される。ステレオ検出回路７０Ｂ内では、比較器７２６が、本稿で先に記述したように、第一の処理されたパイロット信号のＤＣ成分を、マルチプレクサ７２８から出力されるステレオ取得信号かステレオ解放信号のどちらかと比較してそれによりステップ５４０での前記検出を行う。
【００４２】
ステップ５５０では、第二の処理されたパイロット信号が、Ｌ−Ｒステレオ差信号を生成するために使われる。例示的な実施形態によれば、図３のパイロット処理回路７０Ａの乗算器７２４によって生成された第二の処理されたパイロット信号が図２のステレオ差処理ブロック７２に提供され、それによりステップ５５０でのＬ−Ｒステレオ差信号の生成が可能になる。本稿で先に示したように、ステレオ差処理ブロック７２は、31.5kHz信号に第二の処理されたパイロット信号を乗算することにより単純な積復調を実行してそれによりＬ−Ｒステレオ差信号を生成する。第二の処理されたパイロット信号における利得／振幅変動は第一の処理されたパイロット信号のＤＣ成分を使って制御されるので、本発明は、Ｌ−Ｒステレオ差信号が単純な積復調を使って適正に生成されることを有利に可能にする。
【００４３】
本稿で述べているところの本発明は、とりわけＬ−Ｒステレオ差信号の適正な生成を可能にするパイロット信号を処理するための装置および方法を提供する。本発明は、統合された表示装置をもつか否かによらず、さまざまな装置に個別的に適用可能でありうる。よって、本稿で使うところの「テレビ信号受信機」の句は、統合された表示装置を含む、テレビ、コンピュータまたはモニタを含むがこれに限られないシステムまたは装置、ならびに統合された表示装置をもたないことのあるセットトップボックス、ビデオデッキ（ＶＣＲ）、デジタル多用途ディスク（ＤＶＤ）プレーヤー、ビデオゲームボックス、パーソナルビデオレコーダー（ＰＶＲ）、コンピュータまたはその他の装置といったシステムまたは装置のことを指しうる。
【００４４】
本発明は好ましい設計をもつものとして述べられてきたが、本発明は本開示の精神および範囲内でさらに修正されることができる。したがって、本出願は、本発明が関わる当技術分野において既知であり慣用である範囲内で、付属の請求項の限界内にはいるような本開示からの逸脱をもカバーすることが意図されている。
【図面の簡単な説明】
【００４５】
【図１】本発明の例示的な実施形態に基づく装置のブロック図である。
【図２】図１のオーディオ処理ブロックのさらなる詳細を提供するブロック図である。
【図３】本発明の例示的な実施形態に基づくパイロット処理回路を示す図である。
【図４】本発明の例示的な実施形態に基づくステレオ検出回路を示す図である。
【図５】本発明の例示的な実施形態に基づく諸ステップを示すフローチャートである。
【図１】
2007538472.tif 000004
【図２】
2007538472.tif 000005
【図３】
2007538472.tif 000006
【図４】
2007538472.tif 000007
【図５】
2007538472.tif 000008
【国際調査報告】
2007538472.tif 000009
2007538472.tif 000010
2007538472.tif 000011